(57)【要約】【課題】不正整列に誘発されるアーティファクトを生じ難いＣＴ検出器を設計する。放射線イメージング・システムのＸ線源に対して一貫して整列した検出器セルを有するＣＴ検出器を提供する。【解決手段】焦点整列型シンチレータ（５７）が、Ｘ線源（１４）に対して角度について整列するようにシンチレータ壁（９０）を傾斜させて構築されている。シンチレータ（５７）は、平面的なＸ線受光表面（８６）及び平面的な光放出表面（８８）、並びにこれら平面的なＸ線受光表面（８６）と平面的な光放出表面（８８）とを連結する複数の側壁（９０）を有している。側壁（９０）は、平面的なＸ線受光表面（８６）と平面的な光放出表面（８８）との間に非垂直に延在している。【選択図】        図４
2008224302.tif 000002
【特許請求の範囲】
【請求項１】
平面的なＸ線受光表面（８６）及び平面的な光放出表面（８８）と、
前記平面的なＸ線受光表面（８６）及び前記平面的な光放出表面（８８）を連結しており、前記平面的なＸ線受光表面（８６）と前記平面的な光放出表面（８８）との間に非垂直に延在している複数の側壁（９０）と、
を備えたシンチレータ（５７）。
【請求項２】
前記側壁（９０）は、該側壁（９０）が放射線撮像時にＸ線源（１４）に整列するように、前記平面的なＸ線受光表面（８６）と前記平面的な光放出表面（８８）との間に角度を成して配置されている、請求項１に記載のシンチレータ（５７）。
【請求項３】
前記平面的なＸ線受光表面（８６）は、前記平面的な光放出表面（８８）に対して線的にずれている、請求項２に記載のシンチレータ（５７）。
【請求項４】
シンチレータ材料を鋳造することにより形成される請求項１に記載のシンチレータ（５７）。
【請求項５】
シンチレータ材料を成形することにより形成される請求項１に記載のシンチレータ（５７）。
【請求項６】
シンチレータ・バルクを切断することにより形成される請求項１に記載のシンチレータ（５７）。
【請求項７】
レーザを用いた電磁アブレ−ションにより形成される請求項１に記載のシンチレータ（５７）。
【請求項８】
計算機式断層写真法（ＣＴ）スキャナ（１０）の検出器アセンブリ（２０）に組み入れられている請求項１に記載のシンチレータ（５７）。
【請求項９】
前記Ｘ線受光表面（８６）は、前記光放出表面（８８）と等しい表面積を有する、請求項１に記載のシンチレータ（５７）。
【発明の詳細な説明】
【技術分野】
【０００１】
本発明は一般的には、診断撮像に関し、さらに具体的には、焦点整列型セルを有する放射線撮像用検出器に関する。
【背景技術】
【０００２】
典型的には、計算機式断層写真法（ＣＴ）イメージング・システムでは、Ｘ線源が患者又は手荷物のような被検体又は物体に向かってファン（扇形）形状のビームを放出する。以下では、「被検体」及び「対象」との用語は、撮像されることが可能な任意の物体を含むものとする。ビームは、被検体によって減弱された後に、放射線検出器のアレイに入射する。検出器アレイで受光される減弱後のビーム放射線の強度は典型的には、被検体によるＸ線ビームの減弱に依存する。検出器アレイの各々の検出器素子が、各々の検出器素子によって受光された減弱後のビームを示す別個の電気信号を発生する。電気信号はデータ処理システムへ伝送されて解析され、ここから最終的に画像を形成する。
【０００３】
一般的には、Ｘ線源及び検出器アレイは、撮像平面内で被検体を中心としてガントリの周りを回転する。Ｘ線源は典型的には、焦点においてＸ線ビームを放出するＸ線管を含んでいる。Ｘ線検出器は典型的には、当該検出器において受光されるＸ線ビームをコリメートするコリメータと、コリメータに隣接して設けられておりＸ線を光エネルギへ変換するシンチレータと、隣接するシンチレータから光エネルギを受け取ってここから電気信号を発生するフォトダイオードとを含んでいる。
【０００４】
典型的には、シンチレータ・アレイの各々のシンチレータがＸ線を光エネルギへ変換する。各々のシンチレータは、当該シンチレータに隣接するフォトダイオードに向けて光エネルギを放出する。各々のフォトダイオードが光エネルギを検出して、対応する電気信号を発生する。次いで、フォトダイオードの出力はデータ処理システムへ伝送されて画像再構成を施される。
【発明の開示】
【発明が解決しようとする課題】
【０００５】
公知のＣＴ検出器については多くの進歩が達成されているにも拘わらず、画質は依然として重要視される点であり改善を要する領域である。明確に述べると、画像アーティファクトの低減によって画質を改善することが依然必要とされている。画像アーティファクトは多数の要因に帰すことができるが、従来のＣＴ検出器が直面する一つの問題は、Ｘ線源又はポスト・ペイシェント・コリメータに対するシンチレータの不正整列である。不正整列したシンチレータの悪影響を図８に示す。
【０００６】
図８は、従来のＣＴ検出器２の断面図である。検出器は、シンチレータ６のシンチレータ・アレイ４を含んでいる。シンチレータ・アレイはフォトダイオード・アレイ（図示されていない）の上方に配置されて、Ｘ線７の受光に応答してシンチレータ・アレイによって放出された光がフォトダイオード・アレイによって検出されて処理されるようになっている。説明の目的で、シンチレータ・アレイはまた、不正整列した単一のシンチレータ６（ａ）を含んでいる。従来の検出器設計はまた、Ｘ線遮蔽要素８を含んでいる。これらの遮蔽要素はＸ線を遮断するように設計されており、結果として、典型的には何本かのＸ線７（ａ）を遮断してセル間間隙９を通過させないようにするが、Ｘ線７（ｂ）を遮断することができずにセル間間隙９を通過させる。
【０００７】
Ｘ線源に対するシンチレータの不正整列のため、Ｘ線は様々な厚みのシンチレータ材料を通過し、結果としてシンチレータにおけるスペクトル・ゲインの不均一性、例えば骨に誘発されるスペクトル・アーティファクトを生ずる。すなわち、他のシンチレータに対して整列していないシンチレータでは、Ｘ線の経路長が他のシンチレータとは異なる。このため、これら不正整列したシンチレータは、スペクトルに関して正しく整列したシンチレータとは異なる応答を有する。
【０００８】
換言すると、シンチレータ間間隙を通過するＸ線は、シンチレータのみを通過するＸ線とは経路長が異なる。この経路長の差に起因して、不正整列したシンチレータは、隣接した正しく整列したシンチレータに対して異なる応答を有する。さらに、不正整列した遮蔽要素もまた、シンチレータが不正整列している場合に起こるスペクトルの非線形性の一因となり得る。結果として、従来のＣＴ検出器は、リング、バンド及び中央のアーティファクトのように検出器セルの不正整列に誘発されるアーティファクトの影響を受け易い。
【０００９】
従って、不正整列に誘発されるアーティファクトを生じ難いＣＴ検出器を設計することが望ましい。さらに、放射線イメージング・システムのＸ線源に対して一貫して整列した検出器セルを有するＣＴ検出器を提供することが望ましい。
【課題を解決するための手段】
【００１０】
本発明は、上述の欠点を克服する焦点整列型ＣＴ検出器に関するものである。このＣＴ検出器は、Ｘ線源に対して角度について整列するようにシンチレータ壁を傾斜させて構築されている。この点で、このＣＴ検出器は、検出器セルの不正整列に関連するスペクトル・アーティファクトを生じ難い。
【００１１】
従って、一観点によれば、本発明は、平面的なＸ線受光表面及び平面的な光放出表面を有するシンチレータを含んでいる。シンチレータはまた、平面的なＸ線受光表面と平面的な光放出表面とを連結する複数の側壁を有している。側壁は、平面的なＸ線受光表面と平面的な光放出表面との間に非垂直に延在している。
【００１２】
本発明の他の観点によれば、放射線検出器が、感知した光に応答して電気信号を出力するように構成されている複数のフォトダイオードを含むフォトダイオード・アレイを含んでいる。各々のフォトダイオードが平面的な光検出表面を有している。検出器はさらに、Ｘ線の受光に応答して光を放出するように構成されている複数のシンチレータを含むシンチレータ・アレイを有している。各々のシンチレータが、それぞれのフォトダイオードの平面的な光検出表面に対して傾斜した側壁を有している。
【００１３】
他の観点によれば、本発明は、回転式ガントリを有するＣＴシステムを含んでいる。ガントリは、走査対象を収容する開口を有している。システムはまた、対象に向けて所与の投影角度でＸ線ファン・ビームを投射するように構成されているＸ線源と、Ｘ線エネルギを光へ変換するように構成されている複数のシンチレータ・セルを有するシンチレータ・アレイとを有している。各々のシンチレータ・セルが、所与の投影角度に対して平行な角度に沿って延在する偏心型（off-centered）側壁によって画定されている。フォトダイオード・アレイが、シンチレータ・アレイに光学的に結合されており、シンチレータ・アレイから放出された光を検出して電気信号出力を供給するように構成されている複数のフォトダイオードを含んでいる。システムはさらに、フォトダイオード・アレイに接続されておりフォトダイオード・アレイの電気信号出力を受け取るように構成されているデータ取得システム（ＤＡＳ）と、ＤＡＳに接続されておりＤＡＳによって受け取られたフォトダイオード・アレイ電気信号出力から対象の画像を再構成するように構成されている画像再構成器とを有している。
【００１４】
本発明の他の様々な特徴及び利点は、以下の詳細な説明及び図面から明確となろう。
【発明を実施するための最良の形態】
【００１５】
図面は、本発明を実施するために現状で想到される好ましい一実施形態を示している。
【００１６】
４スライス型計算機式断層写真法（ＣＴ）システムに関して本発明の動作環境を説明する。但し、当業者であれば、本発明がシングル・スライス型構成又は他のマルチスライス型構成での利用にも同等に適用可能であることが認められよう。さらに、Ｘ線の検出及び変換に関して本発明を説明する。しかしながら、当業者は、本発明が他の高周波電磁エネルギの検出及び変換にも同等に適用可能であることをさらに認められよう。また、「第三世代」ＣＴスキャナに関して本発明を説明するが、本発明は他のＣＴシステムにも同等に適用可能である。また、本発明は、Ｘ線スキャナのような他の放射線イメージング・システムの検出器にも適用可能であると考えられる。
【００１７】
図１及び図２には、計算機式断層写真法（ＣＴ）イメージング・システム１０が、「第三世代」ＣＴスキャナに典型的なガントリ１２を含むものとして示されている。ガントリ１２はＸ線源１４を有しており、Ｘ線源１４は、Ｘ線のビーム１６をガントリ１２の反対側に設けられている検出器アレイ１８に向かって投射する。検出器アレイ１８は、複数の検出器２０によって形成されており、検出器２０は一括で、患者２２を透過した投射Ｘ線を感知する。各々の検出器２０は、入射Ｘ線ビームの強度を表わし従って患者２２を透過する際に減弱したビームを表わす電気信号を発生する。Ｘ線投影データを取得するための１回の走査の間に、ガントリ１２及びガントリ１２に装着されている構成部品は回転中心２４の周りを回転する。
【００１８】
ガントリ１２の回転及びＸ線源１４の動作は、ＣＴシステム１０の制御機構２６によって制御される。制御機構２６は、Ｘ線制御器２８とガントリ・モータ制御器３０とを含んでおり、Ｘ線制御器２８はＸ線源１４に電力信号及びタイミング信号を供給し、ガントリ・モータ制御器３０はガントリ１２の回転速度及び位置を制御する。制御機構２６に設けられているデータ取得システム（ＤＡＳ）３２が検出器２０からのアナログ・データをサンプリングして、後続の処理のためにこのデータをディジタル信号へ変換する。画像再構成器３４が、サンプリングされてディジタル化されたＸ線データをＤＡＳ３２から受け取って高速画像再構成を実行する。再構成された画像はコンピュータ３６への入力として印加され、コンピュータ３６は大容量記憶装置３８に画像を記憶させる。
【００１９】
コンピュータ３６はまた、キーボードを有するコンソール４０を介して操作者から指令及び走査用パラメータを受け取る。付設されている陰極線管表示器４２によって、操作者は再構成された画像及びコンピュータ３６からのその他のデータを観測することができる。操作者が供給した指令及びパラメータはコンピュータ３６によって用いられて、ＤＡＳ３２、Ｘ線制御器２８及びガントリ・モータ制御器３０に制御信号及び情報を供給する。加えて、コンピュータ３６は、モータ式テーブル４６を制御するテーブル・モータ制御器４４を動作させて、患者２２及びガントリ１２を配置する。具体的には、テーブル４６は患者２２の各部分をガントリ開口４８を通して移動させる。
【００２０】
図３及び図４に示すように、検出器アレイ１８は、シンチレータ・アレイ５６を形成する複数のシンチレータ５７を含んでいる。ポスト・ペイシェント・コリメータ（図示されていない）がシンチレータ・アレイ５６の上方に配置されて、Ｘ線ビーム１６がシンチレータ・アレイ５６に入射する前にＸ線ビーム１６をコリメートする。
【００２１】
図３に示す一実施形態では、検出器アレイ１８は５７個の検出器２０を含んでおり、各々の検出器２０が１６×１６のアレイ寸法を有している。結果として、アレイ１８は１６行及び９１２列（１６×５７個の検出器）を有し、ガントリ１２の各回の回転で同時に１６枚のスライスのデータを収集することができる。
【００２２】
図４のスイッチ・アレイ８０及び８２は、シンチレータ・アレイ５６とＤＡＳ３２との間に結合されている多次元半導体アレイである。スイッチ・アレイ８０及び８２は、多次元アレイとして配列されている複数の電界効果トランジスタ（ＦＥＴ、図示されていない）を含んでいる。ＦＥＴアレイは、それぞれのフォトダイオード６０の各々に接続されている一定数の電気リードと、可撓性電気インタフェイス８４を介してＤＡＳ３２に電気的に接続されている一定数の出力リードとを含んでいる。具体的には、フォトダイオード出力の約半数がスイッチ８０に電気的に接続されており、フォトダイオード出力の残り半数がスイッチ８２に電気的に接続されている。加えて、各々のシンチレータ５７の間に反射体層（図示されていない）を介設して、隣接するシンチレータからの光散乱を減少させることができる。各々の検出器２０は、装着用ブラケット７９によって図３の検出器フレーム７７に固定されている。
【００２３】
スイッチ・アレイ８０及び８２はさらに、所望のスライス数、及び各々のスライスについての所望のスライス分解能に従って、フォトダイオード出力のイネーブル、ディスエーブル及び結合を行なうデコーダ（図示されていない）を含んでいる。デコーダは一実施形態では、当技術分野で公知のデコーダ・チップ又はＦＥＴコントローラである。デコーダは、スイッチ・アレイ８０及び８２、並びにＤＡＳ３２に結合されている複数の出力線及び制御線を含んでいる。１６スライス・モードとして定義される一実施形態では、デコーダは、フォトダイオード・アレイ５２の全横列が起動されるようにスイッチ・アレイ８０及び８２をイネーブルにして、結果としてＤＡＳ３２によって処理される１６スライス分のデータを同時に生成する。言うまでもなく、他の多くのスライス組み合わせが可能である。例えば、デコーダは、１スライス・モード、２スライス・モード及び４スライス・モードを含めた他のスライス・モードから選択してもよい。
【００２４】
図５に示すように、適当なデコーダ命令を送信することにより、スイッチ・アレイ８０及び８２を４スライス・モードとして構成して、データがフォトダイオード・アレイ５２の１列又は複数の横列から成る４枚のスライスから収集されるようにすることができる。スイッチ・アレイ８０及び８２の特定の構成に応じて、スライス厚が１列、２列、３列又は４列のシンチレータ・アレイ素子５７から成ることができるようにフォトダイオード６０の様々な組み合わせのイネーブル、ディスエーブル又は結合を行なうことができる。他の例としては、１．２５ｍｍ厚〜２０ｍｍ厚のスライスによる１枚のスライスを含んだシングル・スライス・モード、１．２５ｍｍ厚〜１０ｍｍ厚のスライスによる２枚のスライスを含んだ２スライス・モードがある。所載以外のモードも想到される。
【００２５】
図６には、本発明によるＣＴ検出器２０の断面図が示されている。説明の目的で、５個のシンチレータ及びフォトダイオードのみを示すが、当業者には、ＣＴ検出器がさらに多くのかかるシンチレータ及びフォトダイオードを含み得ることが理解されよう。また、公知のように、シンチレータ・アレイ及びフォトダイオード・アレイは二次元（２Ｄ）アレイである。上で図示して説明したように、検出器２０は、Ｘ線エネルギの受光時に発光する複数のシンチレータ５７で構成されたシンチレータ・アレイ５６を含んでいる。この発光はフォトダイオード・アレイ５２のフォトダイオード６０によって検出される。この点で、各々のシンチレータ５７が、平面的なＸ線受光表面８６と平面的な光放出表面８８とを有している。表面８６、８８はシンチレータ隔壁又は側壁９０によって互いに連結されている。図示のように、側壁９０はＸ線受光表面及び光放出表面に対して角度を成している。側壁の傾斜角の結果として、シンチレータ５７のＸ線受光表面８６がシンチレータ５７の光放出表面８８からずれる。
【００２６】
傾斜側壁９０は、シンチレータがＸ線源（図示されていない）に集束されるように角度を成している。この点で、側壁はＸ線経路１６に平行に傾斜している。この傾斜によって、側壁はＸ線受光表面及び光放出表面に対して非垂直に配向される。さらに、隔壁はフォトダイオード５２の表面９１に対して角度を成している。結果として、Ｘ線経路はシンチレータ・アレイのシンチレータ同士の間で比較的一様で一定となる。このことは、シンチレータ５７（ａ）によって示すもののような不正整列したシンチレータについて特に有利である。換言すると、不正整列したシンチレータについての経路長のばらつきが少なくなるため、スペクトル応答は、シンチレータ不正整列に対して敏感でなくなる。
【００２７】
図６を続けて参照して述べると、ＣＴ検出器２０は好ましくは、コリメータ要素又はコリメータ・プレートのアレイ９４によって集合的に形成されているコリメータ９２を含んでいる。好ましくは、各々のコリメータ・プレートは、それぞれのシンチレータ側壁の延長として構成される。このように、シンチレータ・アレイと同様に、コリメータ格子もＸ線源に整列する。加えて、検出器２０は、追加のＸ線コリメーション及びＸ線分離を提供する遮蔽要素（図示されていない）を有するように構築されてもよいものと思量される。さらに、シンチレータ間隙９０を光反射性エポキシ又は他の材料で充填して、シンチレータ同士の間の光学的クロストークを低減することが好ましい。コリメータ・プレート９４は、一次元（１Ｄ）コリメータ９２を集合的に形成している。
【００２８】
以上に述べたシンチレータの構築は、多数の製造手法の一つ又はこれらの組み合わせによって達成され得ると思量される。この点で、シンチレータはシンチレータ材料の鋳造によって形成され得る。代替的には、従来の成形手法を用いてもよい。加えて、機械的又は化学的な切断手法を用いてもよいものと思量される。さらに、レーザによるもののような電磁アブレーションを用いてもよいものと思量される。製造手法を問わず、シンチレータ壁は、検出器アセンブリに配置されるときに放射線イメージング・システムのＸ線源に向かって傾斜するように構築される。利点として、これにより側壁自体がデータ取得時に一次放射線に曝露されなくなる。
【００２９】
図７では、小包／小荷物／手荷物検査システム１００が、小荷物、小包又は手荷物を通過させることのできる開口１０４を内部に有する回転式ガントリ１０２を含んでいる。回転式ガントリ１０２は、高周波電磁エネルギ源１０６と、上で説明したものと同様のシンチレータ・セルで構成されているシンチレータ・アレイを有する検出器アセンブリ１０８とを収容している。また、コンベヤ・システム１１０が設けられており、コンベヤ・システム１１０は、構造１１４によって支持されており走査のために開口１０４を通して小荷物又は手荷物１１６を自動的に且つ連続的に通過させるコンベヤ・ベルト１１２を含んでいる。対象１１６をコンベヤ・ベルト１１２によって開口１０４内に送り込み、次いで撮像データを取得し、コンベヤ・ベルト１１２によって開口１０４から小荷物１１６を除去することを、制御された連続的な態様で行なう。結果として、郵便物検査官、手荷物作業員及び他の保安人員が、小荷物１１６の内容物を爆発物、刃物、銃及び密輸品等について非侵襲的に検査することができる。
【００３０】
従って、一観点によれば、本発明は、平面的なＸ線受光表面及び平面的な光放出表面を有するシンチレータを含んでいる。シンチレータはまた、平面的なＸ線受光表面と平面的な光放出表面とを連結する複数の側壁を有している。側壁は、平面的なＸ線受光表面と平面的な光放出表面との間で非垂直に延在している。
【００３１】
本発明の他の観点によれば、放射線検出器が、感知した光に応答して電気信号を出力するように構成されている複数のフォトダイオードを含むフォトダイオード・アレイを含んでいる。各々のフォトダイオードが平面的な光検出表面を有している。検出器はさらに、Ｘ線の受光に応答して光を放出するように構成されている複数のシンチレータを含むシンチレータ・アレイを有している。各々のシンチレータが、それぞれのフォトダイオードの平面的な光検出表面に対して傾斜している側壁を有している。
【００３２】
他の観点によれば、本発明は、回転式ガントリを有するＣＴシステムを含んでいる。ガントリは、走査対象を収容する開口を有している。システムはまた、対象に向けて所与の投影角度でＸ線ファン・ビームを投射するように構成されているＸ線源と、Ｘ線エネルギを光へ変換するように構成されている複数のシンチレータ・セルを有するシンチレータ・アレイとを有している。各々のシンチレータ・セルが、所与の投影角度に対して平行な角度に沿って延在する偏心型側壁によって画定されている。フォトダイオード・アレイが、シンチレータ・アレイに光学的に結合されており、シンチレータ・アレイから放出された光を検出して電気信号出力を供給するように構成されている複数のフォトダイオードを含んでいる。システムはさらに、フォトダイオード・アレイに接続されておりフォトダイオード・アレイの電気信号出力を受け取るように構成されているデータ取得システム（ＤＡＳ）と、ＤＡＳに接続されておりＤＡＳによって受け取られたフォトダイオード・アレイ電気信号出力から対象の画像を再構成するように構成されている画像再構成器とを有している。
【００３３】
本発明を好適実施形態について説明したが、明示的に述べたもの以外の均等構成、代替構成及び改変が可能であり、特許請求の範囲に属することが認められよう。
【図面の簡単な説明】
【００３４】
【図１】ＣＴイメージング・システムの見取り図である。
【図２】図１に示すシステムのブロック模式図である。
【図３】ＣＴシステム検出器アレイの一実施形態の遠近図である。
【図４】検出器の一実施形態の遠近図である。
【図５】４スライス・モードでの図４の検出器の様々な構成の図である。
【図６】本発明によるＣＴ検出器の部分断面図である。
【図７】非侵襲型小荷物検査システムと共に用いられるＣＴシステムの見取り図である。
【図８】従来のＣＴ検出器の断面図である。
【符号の説明】
【００３５】
２  従来のＣＴ検出器
４  シンチレータ・アレイ
６  シンチレータ
７  Ｘ線
８  Ｘ線遮蔽要素
９  素子間間隙
１０  計算機式断層写真法（ＣＴ）イメージング・システム
１２  ガントリ
１４  Ｘ線源
１６  Ｘ線のビーム
１８  検出器アレイ
２０  複数の検出器
２２  患者
２４  回転中心
２６  制御機構
２８  Ｘ線制御器
３０  ガントリ・モータ制御器
３２  データ取得システム（ＤＡＳ）
３４  画像再構成器
３６  コンピュータ
３８  大容量記憶装置
４０  コンソールを介した操作者
４２  付設されている陰極線管表示器
４４  テーブル・モータ制御器
４６  モータ式テーブル
４８  ガントリ開口
５２  フォトダイオード・アレイ
５６  シンチレータ・アレイ
５７  複数のシンチレータ
６０  フォトダイオード
７７  検出器フレーム
７９  装着用ブラケット
８０、８２  スイッチ・アレイ
８４  可撓性電気インタフェイス
８６  平面的なＸ線受光表面
８８  平面的な光放出表面
９０  側壁
９１  表面
９２  コリメータ
９４  コリメータ要素又はコリメータ・プレートのアレイ
１００  小包／小荷物／手荷物検査システム
１０２  回転式ガントリ
１０４  開口
１０６  高周波電磁エネルギ源
１０８  検出器アセンブリ
１１０  コンベヤ・システム
１１２  コンベヤ・ベルト
１１４  構造
１１６  小荷物又は手荷物
【図１】
2008224302.tif 000003
【図２】
2008224302.tif 000004
【図３】
2008224302.tif 000005
【図４】
2008224302.tif 000006
【図５】
2008224302.tif 000007
【図６】
2008224302.tif 000008
【図７】
2008224302.tif 000009
【図８】
2008224302.tif 000010
【外国語明細書】
2008224302000001.pdf